(57)【要約】  外科手術の間に獲得された液体から物質を濾過するための外科手術用収集組立体。ジャーは、吸引ラインに連結するようにそれぞれ適合された入口および出口を有する。収集バスケットの上側部分が、入口を通ってジャーに入る物質の流れを妨げないように、収集バスケットの上側部分をジャーの中で配置するための、１組の方向決め特徴。底面に陥凹経路のパターンを備えた底面であって、陥凹経路のパターンは、出口に連結されている。プランジャの遠位端部が、収集した物質から流体を除去するのを助けるために収集バスケットの中で収集された物質を圧縮するのに使用され得るように、ジャーに可逆的に取り付けられ得るプランジャ組立体。ある種の用途では、外科手術収集組立体は、一体化されたプランジャのない単純なジャー蓋を有する場合がある。【選択図】図３
2019529006.tif 000002
【特許請求の範囲】
【請求項１】
外科手術の間に獲得された液体から物質を濾過するための外科手術用収集組立体であって、前記外科手術用収集組立体は、
ジャーであって、
ジャー最上部で可逆的にシールされ得る開端部と、
吸引ラインに連結するように適合された入口と、
吸引ラインに連結するように適合された出口と、
収集バスケットの上側部分が、前記入口を通って前記ジャーに入る物質の流れを妨げないように、前記収集バスケットの上側部分を前記ジャーの中で配置するための、１組の方向決め特徴と、
底面に陥凹経路のパターンを備えた底面であって、陥凹経路の前記パターンが、前記出口に連結されている、底面とを含むジャーと、
前記収集バスケットの上側部分が、前記収集バスケットを前記ジャーの中で配置するのに使用され得るように、側壁および底部が前記収集バスケットの前記上側部分に連結されている収集バスケットと、
プランジャ組立体であって、
前記ジャーの前記開端部に、可逆的に連結され得るジャー最上部であって、前記最上部は、プランジャの遠位端部が、収集された物質から流体を除去するのを助けるために前記収集バスケットの中で前記収集された物質を圧縮するのに使用され得るように、遠位端部を備えたプランジャロッドが前記ジャー最上部に対して動くことを可能にするボアを有する、ジャー最上部と、
収集された物質を圧縮するために遠位端部を備えたプランジャと、前記ジャー最上部の前記ボアを通り、それで、前記プランジャの近位端部が、ユーザによって動かされ得るようになるプランジャロッドとを有する、プランジャ組立体とを備え、
前記外科手術用収集組立体が、前記ジャーの前記出口に適用される吸引が、前記ジャーの前記入口に連結された管を通して液体および非液体物質を引き抜くことを可能にするように適合され、前記液体および非液体物質が、前記収集バスケットの中に入り、前記液体の多くが、前記収集バスケットの少なくとも一部を通って前記収集バスケットを出て、前記底面の陥凹経路の前記パターンに入り、次いで、前記収集バスケットの中の前記非液体物質の濾過された部分を残して、前記出口から出る、外科手術用収集組立体。
【請求項２】
１組の少なくとも１つのバスケットハンドルのいずれも、前記入口を妨げないように、前記収集バスケットの前記上側部分を配置する前記１組の方向決め特徴が、前記１組の少なくとも１つのバスケットハンドルを強制的に前記入口から離れて位置付ける、請求項１に記載の外科手術用収集組立体。
【請求項３】
前記収集バスケットの前記上側部分を配置する前記１組の方向決め特徴が、１組の少なくとも１つのバスケットハンドルを強制的に前記ジャーの中で１つまたは複数の位置に位置付け、前記ジャーの中の少なくとも１つの位置が、前記１組の少なくとも１つのバスケットハンドルの１つの開口を前記入口に揃える、請求項１に記載の外科手術用収集組立体。
【請求項４】
前記収集バスケットが、ユーザが、前記収集バスケットを開いたジャーの中に挿入する、または前記収集バスケットを開いたジャーから除去することを可能にするために１組の少なくとも１つのハンドルを有し、
前記１組の少なくとも１つのハンドルが、前記プランジャの前記遠位端部が、内容物を圧縮した後、前記収集バスケットの前記内容物にくっつき、前記プランジャの前記遠位端部を前記ジャーの前記底面から離れる方向に動かすと、前記収集バスケットが前記プランジャの前記遠位端部と一緒に動く場合、前記収集バスケットが落ちて所定の位置に戻ることを可能にするべく、前記プランジャの前記遠位端部が、前記収集バスケットの前記内容物から離れるために、前記ジャー最上部の収集バスケット側と接触するように適合された、請求項１に記載の外科手術用収集組立体。
【請求項５】
前記入口および出口が、前記ジャーの対向する側にある、請求項１に記載の外科手術用収集組立体。
【請求項６】
前記入口および出口が、前記ジャーの対向する側にない、請求項１に記載の外科手術用収集組立体。
【請求項７】
外科手術用処置から収集された物質を集めて、流体を除去するために前記収集した物質を圧縮するための方法であって、
第１の収集バスケットを収集ジャーの中に挿入することであって、前記収集ジャーは、入口および出口を有しており、前記出口は、前記収集ジャーの底部のバスケット側の陥凹パターンと流体連通しており、その結果、前記出口に適用された吸引が、前記入口に連結された入口配管を通して物質を引き抜き、前記物質は、前記入口を通過し、前記物質の中の少なくとも一部の流体が、前記第１の収集バスケットを通過して前記陥凹パターンの中に入り、次いで、前記出口を通り、濾過された物質を前記第１の収集バスケットの中に残し、前記第１の収集バスケットを前記収集ジャーの中に挿入する前記段階は、前記収集ジャーと前記第１の収集バスケットとの相互作用が、１組の少なくとも１つのバスケットハンドルを、前記入口を遮る位置に配置することを防止することによって誘導される、第１の収集バスケットを収集ジャーの中に挿入することと、
プランジャ組立体を前記収集ジャー上に配置することと、
入口配管を前記入口に連結することと、
出口配管を前記出口に連結することと、
前記入口配管の非ジャー端部が外科手術部位の中に配置されるときはいつでも、流体および小物質が、前記入口配管を通り、前記入口を通り、前記第１の収集バスケットの中に引き抜かれるように、前記出口に連結された前記出口配管に吸引を適用することと、
前記外科手術部位から前記入口配管の非ジャー端部を除去することと、
前記第１の収集バスケットの中に収集された物質を圧縮するために、前記プランジャ組立体を用いてプランジャの遠位端部を下方に動かすことと、
前記プランジャの前記遠位端部を上向きに動かして前記入口より上にすることと、
前記入口配管が、依然として前記入口に連結されていて、前記出口配管が、依然として前記出口に連結された状態で、前記収集ジャーから前記プランジャ組立体を除去することと、
前記収集ジャーから圧縮された物質を有する前記第１の収集バスケットを除去することと、
第２の収集バスケットを前記収集ジャーの中に挿入することと、
前記プランジャ組立体を前記収集ジャー上に配置することと、
吸引を用いて、液体および物質を、前記外科手術部位から、前記入口配管および入口を通し、前記第２の収集バスケットの中に引き抜くことであって、前記吸引は、いくらかの液体を、前記第２の収集バスケットから、前記陥凹パターンを通し、前記出口の外へ引き抜くように機能する、吸引を用いて液体および物質を引き抜くことと、
前記第２の収集バスケットの中に収集された物質を圧縮するために、前記プランジャ組立体を用いて前記プランジャの前記遠位端部を下向きに動かすことと、
前記プランジャ組立体を前記収集ジャーから除去することと、
圧縮された物質を有する前記第２の収集バスケットを前記収集ジャーから除去することとを含む方法。
【請求項８】
前記第１の収集バスケットの中に収集された物質を圧縮するのに前記プランジャの前記遠位端部を使用した後、かつ前記入口配管が、依然として前記入口に連結されていて、前記出口配管が、依然として前記出口に連結されている状態で、前記収集ジャーから前記プランジャ組立体を除去する前に、前記プランジャの前記遠位端部を上向きに動かして前記入口より上にすることをさらに含む、請求項７に記載の方法。
【請求項９】
前記プランジャの前記遠位端部を、上向きに動かして前記入口より上にすることが、ばね力が前記プランジャを上向きに動かすことを可能にすることによってなしとげられる、請求項８に記載の方法。
【請求項１０】
前記第１の収集バスケット上の前記１組の少なくとも１つのバスケットハンドルが、前記プランジャ組立体のバスケット側と接触して、前記プランジャの前記遠位端部から前記第１の収集バスケットを外すまで、前記プランジャの前記遠位端部を上向きに動かすと、前記第１の収集バスケットが上向きに動くように、前記第１の収集バスケットの中の前記物質が、前記第１の収集バスケットを前記プランジャの前記遠位端部に結びつける、請求項７に記載の方法。
【請求項１１】
前記第１の収集バスケットの中に収集された少なくともいくらかの物質が、前記第１の収集バスケットから除去された後、前記第２の収集バスケットが、前記第１の収集バスケットになる、請求項７に記載の方法。
【請求項１２】
外科手術の間に獲得された液体から物質を濾過するための外科手術用収集組立体であって、前記外科手術用収集組立体は、
ジャーであって、
最上部で可逆的にシールされ得る開端部と、
吸引ラインに連結するように適合された入口と、
吸引ラインに連結するように適合された出口と、
収集バスケットの上側部分が、前記入口を通って前記ジャーに入る物質の流れを妨げないように、前記収集バスケットの上側部分を前記ジャーの中で配置するための、１組の方向決め特徴と、
底面に陥凹経路のパターンを備えた底面であって、陥凹経路の前記パターンが、前記出口に連結されている、底面とを備えたジャーと、
前記収集バスケットを、前記ジャーに至る前記入口をふさぐ様式で前記ジャーの中に配置することを防ぐ前記収集バスケットの上側部分と、
前記ジャーの前記開端部に、可逆的に連結され得るジャー最上部とを備え、
前記外科手術用収集組立体が、前記出口に適用される吸引が、前記入口に連結された管を通して液体および非液体物質を引き抜くことを可能にするように適合され、前記液体および非液体物質が、前記収集バスケットの中に入り、前記液体の多くが、前記収集バスケットを出て、前記底面の陥凹経路の前記パターンに入り、次いで、前記収集バスケットの中の前記非液体物質の濾過された部分を残して、前記出口から出る、外科手術用収集組立体。
【請求項１３】
本明細書および参照図において説明および図示されたとおりの本発明。
【発明の詳細な説明】
【技術分野】
【０００１】
本開示は、概括的には、吸引および濾過によって外科手術上の試料を収集するシステムに関する。
【０００２】
用語
【０００３】
または（Ｏｒ）―  別段に明示されない限り、「または（ｏｒ）」という単語は、排他的またはではなく、包含的またはと解釈されるべきである。したがって、「または」のデフォルト意味は、より扱いにくいおよび／または（ａｎｄ／ｏｒ）と同じでなければならない。
【０００４】
試料収集―  この用語は、生検または他の処理によって病理学的に収集および分析される可能性があるものは何でも含むように広義に読みとられなければならない。
【０００５】
組織―  組織という用語は、吸引によって手術部位から除去され、次いで、濾過によって流体から分離され得る、患者のどのような部分でも含むように拡張的に読みとられなければならない。これは、骨、臓器、筋肉、または他の物の断片を含み得る。集められた物質は、患者に入れられた異物を含む場合もある。
【０００６】
患者―  患者という用語は、人間、剖検を受けているまたは訓練で使用される遺体、および外科的処置を受ける動物を含むように拡張的に読みとられなければならない。
【発明の概要】
【課題を解決するための手段】
【０００７】
本開示の教示の態様は、外科手術の間に獲得された液体から物質を濾過するための外科手術用収集組立体、ジャーを有する外科手術用収集組立体として述べることができる。ジャーは、以下を有する：
・ジャー最上部で可逆的にシールされ得る開端部、
・吸引ラインに連結するように適合された入口、
・吸引ラインに連結するように適合された出口、
・収集バスケットの上側部分が、入口を通ってジャーに入る物質の流れを妨げないように、収集バスケットの上側部分をジャーの中で配置するための、１組の方向決め特徴、
・底面に陥凹経路のパターンを備えた底面、陥凹経路のパターンは、出口に連結されている。
【０００８】
外科手術用収集組立体は、収集バスケットの上側部分が、収集バスケットをジャーの中で配置するのに使用され得るように、側壁および底部が収集バスケットの上側部分に連結されている収集バスケットをさらに有する。
【０００９】
外科手術用収集組立体は、プランジャ組立体をさらに有する。プランジャ組立体は、ジャーの開端部に、可逆的に連結され得るジャー最上部を有し、ジャー最上部は、プランジャの遠位端部が、収集された物質から流体を除去するのを助けるために収集バスケットの中で収集された物質を圧縮するのに使用され得るように、遠位端部を備えたプランジャロッドがジャー最上部に対して動くことを可能にするボアを有する。
【００１０】
プランジャ組立体は、収集された物質を圧縮するために遠位端部を備えたプランジャと、ジャー最上部のボアを通り、それで、プランジャの近位端部が、ユーザによって動かされ得るようになるプランジャロッドとをさらに有する。
【００１１】
外科手術用収集組立体は、ジャーの出口に適用される吸引が、ジャーの入口に連結された管を通して液体および非液体物質を引き抜くことを可能にするように適合され、液体および非液体物質は、収集バスケットの中に入り、液体の多くが、収集バスケットの少なくとも一部を通って収集バスケットを出て、底面の陥凹経路のパターンに入り、次いで、収集バスケットの中の非液体物質の濾過された部分を残して、出口から出る。
【００１２】
ある種の用途では、外科手術用収集組立体は、一体化されたプランジャのない単純なジャー蓋を有する場合がある。
【００１３】
本開示の教示の態様は、外科手術用処置から収集された物質を集めて、流体を除去するために収集された物質を圧縮するための方法として要約され得る。方法は、第１の収集バスケットを収集ジャーの中に挿入することを含む。収集ジャーは、入口および出口を有する。収集ジャー出口は、収集ジャーの底部のバスケット側の陥凹パターンと流体連通している。出口に吸引を適用することで、物質を入口に連結された入口配管を通して引き抜き、物質は、入口を通過し、物質の中の少なくとも一部の流体が、第１の収集バスケットを通過して陥凹パターンの中に入り、次いで、出口を通り、濾過された物質を第１の収集バスケットの中に残す。第１の収集バスケットを収集ジャーの中に挿入する段階は、収集ジャーと第１の収集バスケットとの相互作用が、１組の少なくとも１つのバスケットハンドルを、入口を遮る位置に配置することを防止することによって誘導される。
【００１４】
方法は、プランジャ組立体を収集ジャー上に配置することと、入口配管を入口に連結することと、出口配管を出口に連結することとを含む。これらの３つの動作の順序は、方法にとって重要ではない。
【００１５】
方法は、入口配管の非ジャー端部が外科手術部位の中に配置されるときはいつでも、流体および小物質が、入口配管を通り、入口を通り、第１の収集バスケットの中に引き抜かれるように、出口に連結された出口配管に吸引を適用することを含む。
【００１６】
方法は、外科手術部位から入口配管の非ジャー端部を除去することと、第１の収集バスケットの中に収集された物質を圧縮するために、プランジャ組立体を用いてプランジャの遠位端部を下方に動かすこととを含む。
【００１７】
入口配管が、依然として入口に連結されていて、出口配管が、依然として出口に連結されている状態で、収集ジャーからプランジャ組立体を除去すること、および収集ジャーから圧縮された物質を有する第１の収集バスケットを除去すること。
【００１８】
物質が第１の収集バスケットから除去された後、第１の収集バスケットになり得る第２の収集バスケットを用いて、プロセスを繰り返すこと。
【００１９】
本開示の中に包含される教示の追加態様は、申請時に本出願と共に提出された特許請求の範囲の中に記載されている。特許請求の範囲の内容の冗長な再表示を加えるのではなく、これらの特許請求の範囲は、言及することで本要約に組み込まれているものとして考えられなければならない。
【００２０】
本要約は、多くの教示、および本開示の中で考察を広げる中で提供されるそうした教示の変型例の網羅的な一覧ではなく、明細書の中に開示される構想への概論を提供するように意図されている。したがって、本要約の内容は、この後の特許請求の範囲を制限するために使用されてはならない。
【００２１】
発明概念は、一連の例で図示されており、いくつかの例は、２つ以上の発明概念を示している。個々の発明概念は、特定の例で提供された全ての詳細を実施することなく、実施されることができる。当業者が、さまざまな例で図示された発明概念は、特定の用途に対処するために一緒に組み合わされ得ることを認識することになるように、下記の発明概念のすべての可能な組合せの例を提供する必要はない。
【００２２】
開示された教示の他のシステム、方法、特徴、および利点は、以下の図および詳細説明を検討することで、当業者には、ただちに明らかであろう、または明らかとなろう。全てのそうした追加的なシステム、方法、特徴、および利点は、添付の特許請求の範囲に含まれるものであり、特許請求の範囲によって保護されるものであると意図されている。
【００２３】
本開示は、以下の図を参照することでよりよく理解することができる。図中の構成要素は、必ずしも一定の縮尺になっているわけではなく、代わりに、開示の原理を説明することに重きを置いている。さらに、図において、類似の参照符号は、異なる図を通して、対応する部分を指している。
【図面の簡単な説明】
【００２４】
【図１】外科手術用収集組立体１００の分解正面図を示す。
【図２】外科手術用収集組立体１００の正面図を提示する。
【図３】図２から切り取られた、入口１２４および出口１２８の中央線を通る断面図を示す。
【図４】プランジャロッド２２０の遠位端部２２４が、バスケット底部１５６の真上にあるように、下向きに動かされたプランジャロッド２２０を示す。
【図５】ジャー１２０の上面正面斜視図である。
【図６】図５と同じ図であるが、バスケットリング１５８を支持して、配置するジャー１２０の部分が、見えるように、バスケットリング１５８が、除去されている。
【図７】先と同様に入口１２４および出口１２８を通るジャー１２０の断面を示す。
【図８】ジャー１２０の対応する雄ねじ１３２と噛み合う雌ねじ２１６を含む代替キャップ３０４の上面斜視図を提示する。
【図９】ジャー１２０の対応する雄ねじ１３２と噛み合う雌ねじ２１６を含む代替キャップ３０４の底斜視図を提示する。
【図１０】バスケットリング３５８を見ることを可能にするために透明に記載されたジャー３２０の図を提示する。
【図１１】バスケットでなくバスケットリング３５８を示す、ジャー３２０の上面斜視図である。
【図１２】図１１に示されるバスケットリング３５８のないジャー３２０の上面斜視図である。
【図１３】ジャー４２０の上面、左側、正面斜視図である。
【図１４】ジャー４２０の底面、右側、正面斜視図である。
【図１５】ジャー４２０の上面平面図である。
【図１６】ジャー４２０の正面図である。
【図１７】ジャー４２０の底面平面図である。
【図１８】ジャー４２０を左側面図である。
【図１９】ジャー４２０の右側面図である。
【図２０】ジャー４２０の上面および正面斜視図である。
【図２１】図４に示すように切り取られたジャー４２０の断面の上面、右側、後面斜視図である。
【図２２】バスケット４５４の上面、正面斜視図である。
【図２３】バスケット４５４の底面、右側斜視図である。
【図２４】バスケット４５４の上面平面図である。
【図２５】バスケット４５４の正面、左側斜視図である。
【図２６】バスケット４５４の底面平面図である。
【図２７】バスケット４５４の右側、正面斜視図である。
【図２８】図２４の断面の内部の上面斜視図である。
【図２９】プランジャおよびキャップ組立体４８０の上面斜視図である。
【図３０】プランジャおよびキャップ組立体４８０の底面斜視図である。
【図３１】プランジャおよびキャップ組立体４８０の側面図である。
【図３２】プランジャおよびキャップ組立体４８０の上面平面図である。
【図３３】プランジャおよびキャップ組立体４８０の底面平面図である。
【図３４】図３３の断面の側面図である。
【図３５】図３３の断面の上面、側面斜視図である。
【図３６】図３３の断面の上面、側面斜視図である。
【発明を実施するための形態】
【００２５】
図１は、外科手術用収集組立体１００の分解正面図を示す。図１では、入口１２４および出口１２８を備えたジャー１２０が可視的である。入口１２４および出口１２８は、とげ状のプロファイルなどの、配管を保持するように設計された形状を有することができる。ジャー１２０は、キャップ２０４の中の対応する１組の雌ねじ２１６（ここでは図示せず）と噛み合うための１組の雄ねじ１３２を有する。
【００２６】
バスケットリング１５８は、バスケットが、外科手術部位からとられた吸引物質の流れから濾過された物質を収集することを可能にするために、ジャー１２０の中にバスケット１５０を配置するのに使用される。バスケット１５０は、バスケット側壁１５４がバスケット底部１５６に連結されているように構築され得る。
【００２７】
吸引側配管（図示せず）を通ってジャー１２０の出口１２８に適用される吸引は、外科手術部位からジャー１２０の入口１２４に入る外科手術側配管（図示せず）の中に、そしてバスケット１５０の中に物質を引き抜く。バスケット１５０が、外科手術部位から除去された液体から非液体を分離するフィルタとして機能するので、吸引圧力は、バスケット１５０に提供された物質の液体含有量の多くを除去する。
【００２８】
プランジャ組立体２００は、収集された物質から付加的流体を除去するために、バスケット１５０の内容物を圧縮するように動かすことができる幅広い遠位端部２２４を備えたプランジャロッド２２０を有する。プランジャロッド２２０は、ボア２３２（ここでは見えない）を何とか通り抜ける近位端部２２８を有する。ブッシング２１２およびＯリング２０８は、プランジャロッド２２０の周囲に真空シールを維持するのを助ける。ブッシング２１２は、ボア２３２の中に圧入されて、適切な真空シールを提供するために、プランジャロッド２２０の周囲、およびボアの内側にきつく嵌まるようにＯリング２０８を捕える。真空シールは、完全である必要はないが、入口１２４に吸引を提供するために出口１２８に適用された吸引が、外科手術部位から物質を引き抜く際に用いるのに十分であるように、真空シールは、十分でなければならない。外科手術部位の開口が、開口の中に引き抜くことができない何かによって被覆されている場合には、吸引は、プランジャロッド２２０の周囲のシールを通していくらかの空気を引き抜く場合もあるが、少量の漏入物は、問題ではない。
【００２９】
プランジャロッド２２０の近位端部２２８は、ばね２６０の内部を通って、プランジャロッドハンドル２４０のボアに嵌まる。プランジャロッド２２０の近位端部２２８とプランジャロッドハンドル２４０のボアとの間の連結は、いくつかの方法で形成され得る。連結は、ねじ連結であってもよく、したがって可逆的である場合もある。連結は、スナップ嵌めを含む、当業者に知られている多数の技術のいずれかを用いて形成された非可逆的連結である場合もある。固定的な連結が所望される場合には、接着することが、スナップ嵌めの代わりに用いられる場合もある。
【００３０】
ばね２６０は、プランジャロッド２２０の遠位端部２２４が、入口１２４を通ってジャー１２０に入る物質の流れより上方にある、高い位置にプランジャロッド２２０を保持する。プランジャロッドハンドル２４０は、流体をさらに除去するために、プランジャロッド２２０の遠位端部２２４を下向きに押して、バスケット１５０の中に収集された物質を圧縮するように、ばね力に逆らって押し下げられることができる。
【００３１】
図２は、外科手術用収集組立体１００の正面図を提示する。図３は、図２から切り取られた、入口１２４および出口１２８の中央線を通る断面図を示す。
【００３２】
図２および図３で見えるのは、先に言及した要素、すなわちプランジャロッドハンドル２４０、プランジャロッド２２０、ばね２６０、ブッシング２１２、キャップ２０４、入口１２４、ジャー１２０、および出口１２８である。
【００３３】
図２では見えないけれども、図３で見える追加的要素には、ボア２３２の中の棚２３６の上にあるＯリング２０８、プランジャロッド２２０の近位端部２２８、プランジャロッド２２０の遠位端部２２４、バスケットリング１５８、バスケット１５０、キャップ２０４上の雌ねじ２１６、およびジャー１２０上の雄ねじ１３２が含まれる。
【００３４】
図３が、ブッシング２１２が、キャップ２０４のボア２３２の中でブッシング２１２と棚２３６との間にＯリング２０８を包囲しているときの、プランジャロッド２２０の周囲のシールを示す図を提示していることに留意されたい。
【００３５】
注意深い観察者であれば、モデルは、キャップがとられたプランジャロッド２２０と噛み合う前と考えられる形状のＯリング２０８を示していることに留意されよう。Ｏリングは、プランジャロッド２２０とキャップ２０４との間で圧縮される。しかしながら、ブッシング２１２は、Ｏリング２０８を圧縮するようには設計されていない。
【００３６】
図４は、プランジャロッド２２０の遠位端部２２４が、バスケット底部１５６の真上にあるように、下向きに動かされたプランジャロッド２２０を示す。プランジャロッドハンドル２４０に加えられた力は、ばね２６０を圧縮している。さらに、この図では、キャップ２０４およびバスケットリング１５８が可視的である。プランジャロッド２２０の遠位端部２２４とバスケット底部１５６との間の関係を示すために、ジャー１２０およびバスケット１５０の側壁は、見えなくされている。
【００３７】
プランジャロッドハンドル２４０を解放した後、ばね力は、プランジャロッドハンドル２４０を上位置に戻すのに十分であるので、プランジャロッド２２０の遠位端部２２４は、バスケット１５０に対して上向きに動くことになる。収集された物質を圧縮する間、いくらかの収集された物質が、バスケット１５０の内周囲の中でプランジャロッド２２０の遠位端部２２４の外周囲の間のいかなる空隙でも満たし得ることが可能である。バスケット１５０を持ち上げて適所から外れる傾向を最小限に抑えるために、バスケットリング１５８は、１対のハンドル１６２（図３には一方のハンドルが見える）を有する。ハンドル１６２の最上部縁１６０が、キャップ２０４の内面２０６に当たって、その結果バスケット１５０が、プランジャロッド２２０の遠位端部２２４から外された後、プランジャロッド２２０の遠位端部２２４が、上向きに動き続けるように、ハンドル１６２の最上部縁１６０は、キャップ２０４の内面２０６に非常に近接して配置される。
【００３８】
ジャー上での入口および出口の配置
【００３９】
入口１２４および出口１２８の両方が、ジャー１２０上に位置付けられており、ジャー１２０とキャップ２０４との間で分割されていないことによって、プランジャおよびキャップ組立体２００を除去して、ジャー１２０の内部を露出させるために、プランジャおよびキャップ組立体２００を回転させることは、出口１２８を真空源に連結する真空側配管を切断することなく、かつ入口１２４に連結された外科手術側配管を切断することなく行うことができることに注目されたい。したがって、入口１２４または出口１２８との配管の連結は、どちらもバイオネット連結などのより費用のかかる迅速脱着式連結である必要はない。
【００４０】
バスケット１５０を露出させるために、外科手術用収集組立体１００からプランジャおよびキャップ組立体２００を迅速に除去することが可能になれば、収集された物質を除去することおよび新しいバスケット１５０を挿入することが可能になる。入口１２４および出口１２８への連結が適所にあるので、収集プロセスは、プランジャおよびキャップ組立体２００が、ジャー１２０と再び噛み合わされた後、迅速に再開することができる。
【００４１】
キャップ２０４ではなくジャー１２０に入口１２４を有することの第２の利点は、この配置は、物質が、プランジャロッド２２０の幅広い遠位端部２２４の最上部側上で上がってくるのではなく、入口を通って入ってくる状態を保つことを助ける。このことによって、バスケット１５０の中に収集され得てきた物質を無駄にすることが回避され、物質が、プランジャロッド２２０の働きを妨げる機会が低減される。
【００４２】
収集された物質を押圧するのにプランジャロッド２２０を使用するとき、操作者は、空気だけが、入口１２４に入っているように、外科手術部位から外科手術側配管の外科手術端部を持ち上げて出したいと願う可能性がある。吸引源は、収集された物質から圧搾される流体を除去するのを助けるために、このプロセスの間、オン状態にしておくことができる。
【００４３】
図５は、ジャー１２０の上面正面斜視図である。説明の便宜上、バスケットリング１５８は、図５では見えているが、バスケットリング１５８は、バスケット側壁１５４またはバスケット底部１５６を有していない。図６は、図５と同じ図であるが、バスケットリング１５８を支持して配置するジャー１２０の部分が、見えるように、バスケットリング１５８は、除去されている。
【００４４】
バスケットリング１５８は、１対のハンドル１６２として記載される場合もある。ハンドル１６２の間に、中間ハンドルセグメント１６６と呼ばれることもあるバスケットリング１５８の部分がある。中間ハンドルセグメント１６６は、中間ハンドルセグメント１６６より薄くなり得る内部ハンドルセグメント１７０と区別されることができる。
【００４５】
内部ハンドルセグメント１７０と中間ハンドルセグメント１６６との間に違いがあることで、バスケットリング１５８が、入口１２４を塞ぐことを回避するように、ジャー１２０の中で方向が決められることが可能になる。ジャー１２０は、長いリブ１３６および短いリブ１４０を設置することによってバスケットリング１５８の方向を決めることができる。中間ハンドルセグメント１６６は、短いリブ棚１４４上に載ることはできるが、長いリブ１３６と揃えるのには幅が広すぎる。対照的に、より狭い内部ハンドルセグメント１７０は、長いリブ１３６の上部分１５２によって形成された周囲の内側に適合して、長いリブ棚１４８上に載ることができる。
【００４６】
陥凹パターン
【００４７】
図６で注目されるように、ジャー１２０は、プランジャロッド２２０がバスケット１５０の中で物質を圧縮しているときを含めて、バスケット１５０の底面を支持する底面１９０を有する。出口１２８上の引き抜き吸引が、バスケット１５０から液体を引き抜き、液体を出口開口１９８へ、そして出口１２８の外へくみ出すために、陥凹パターン１９４全体に吸引圧力を加えるように、陥凹パターン１９４は、出口開口１９８から外に扇形に広がっている。陥凹パターン１９４で用いられるパターンは、ここに示されたパターンと同一である必要はない。多数の異なるパターンが、可能である。入口１２４と１２８との間の中央線の両側での対称性は、自然な選択であり得、これは必要ではない。陥凹パターンの幅および深さは、均一である必要はない。小さい障害物がパターンの一部に引っかかっている場合であっても、吸引がパターンの遠位端部に達することを可能にするパターンは、排液用代替経路を可能にする架橋がないパターンよりも利点を有する。
【００４８】
図７は、この場合も入口１２４および出口１２８を通るジャー１２０の断面を示す。断面は、底面１９０、陥凹パターン１９４、および出口開口１９８が、バスケット１５０、特にバスケット底部１５６に対して見え得るように、キャップ２０４を観察者の方へ動かすために回転されている。バスケットリング１５８、長いリブ１３６、および短いリブ１４０の組合せは、バスケット１５０の周囲のあたりを通る入口１２４から出口１２８までの流れを妨げることに気付かれたい。バスケット１５０の外縁を越えて終端する陥凹パターン１９４の遠位端部を有しているので、バスケット底部１５６から流体を引き抜くことに加えて、バスケット側壁１５４から流体を引き抜くために、バスケットリング１５８の下に吸引が提供される。
【００４９】
バスケット形成
【００５０】
本開示の教示に沿って、バスケットおよびバスケットリング組立体を作るのに、さまざまな技術を用いることができる。上記したように、バスケットは、底部に接合された側壁で作られることができる。側壁の底部への連結は、スティッチ溶着によって連結されてもよい。あるいは、側壁の底部への連結は、バスケットの底部周囲に可撓性リングを配置すること、および側壁および底部の両方を可撓性リングに連結することによってなしとげられ得る。連結するのに、スティッチ溶着、オーバーモールド、ヒートシール、または外科手術処置で用いられる骨物質の収集で使用するのに適した何らかの他の連結プロセスを利用することができる。バスケットリングへの連結は、熱かしめ、溶接、または接着剤による連結であってもよい。底部は、側壁の底縁と同じ平面上にあってもよい。
【００５１】
可撓性を有するバスケット１５０を有していることで、バスケット１５０が、逆さにされて、収集の際のバスケット１５０の内面が、収集された物質を送出する際にはバスケット１５０の外面になるように、バスケット底部１５６をバスケットリング１５８に対して動かすことが可能になっている。
【００５２】
バスケット材料は、全体設計の一部として設計者によって選ばれるが、２００マイクロメートルの範囲のメッシュ開口を備えた４７％の範囲の孔面積を有する材料で作られたバスケットは、ある種のバスケットおよび用途に関して使用されることができる。コンテクストでは、２００マイクロメートル（ミクロンとしても知られている）は、液体から細砂を除去するのに使用されることもあり得る濾過の種類である。
【００５３】
当業者は、開示された外科手術用収集組立体１００は、収集プロセスを通して、連続的な濾過を可能にする広範囲なフィルタ表面積を備えたバスケットを提供することを理解されよう。開示された外科手術用収集組立体１００のバスケットの大きい表面積および他の特徴によって、組立体は、別の収集システムを詰まらせて損傷させる可能性がある物質の存在に対して回復力を有している。
【００５４】
バスケットの可動性は、キャップを戻して、規則的な吸引を続けることを可能にする一方で、収集された物質を準備台に移動することを可能にするのに、同様に重要である。
【００５５】
代替例および変型例
【００５６】
入口および出口の整列
【００５７】
ジャー１２０は、入口１２４が、出口１２８に対して１８０度オフセットされた状態で示されてきた。流れがバスケットの直径を横切っていることから、このオフセットは、捕えた生成物が、バスケット全体を満たすことを可能にするので、このオフセットは、有用であると考えられる。ポートが同じ側にある場合、バスケットの一方の側に、生成物が蓄積する可能性がある。バスケットの上方に配置された入口１２４およびバスケットの下方から物質を引き抜く出口を有することによって、ジャー１２０がひっくり返され、それで、ジャーが、垂直ではなく、むしろ水平になる事象においてさえ、吸引力が適切な働きを促進するのに十分であるので、外科手術用収集組立体１００は、重力に依存していない。
【００５８】
出口１２８に対して１８０度オフセットされた入口１２４を有する利点がある一方で、１８０度より少ないいくらかのオフセットであっても類似の利点があるであろう。９０度でも、かなりの利点を提供するであろう。当業者は、入口１２４が、出口１２８の真上に位置付けられた外科手術用収集組立体１００は、そうした収集デバイスが、提案された１８０度オフセットを有していない場合でも、実行可能な収集デバイスであることを理解されるであろう。
【００５９】
ジャー１２０の底部の近くに位置付けられた出口１２８を有することで、出口がジャーの最上部に近接して配置された同じ吸引源の使用と比べて、流体が取り除かれる収集デバイスの性能は高くなる。
【００６０】
試料収集蓋
【００６１】
ジャー１２０、バスケットリング１５８を備えたバスケット１５０は、プランジャロッドと共に使用するためのボアを有していないけれども、中実最上部である、代替キャップ３０４と共に使用されてもよい。この代替キャップ３０４は、ジャー１２０およびバスケット１５０が、外科手術部位から吸引によって取り出された物質を濾過して取り除くために使用されるときに、使用され得る。この物質は、調整されて再利用される骨である場合もあるが、収集されて、分析のために送られる物質である可能性が高い。
【００６２】
図８および図９は、ジャー１２０の対応する雄ねじ１３２と噛み合う雌ねじ２１６を含む、代替キャップ３０４の最上部および底部斜視図を提示する。
【００６３】
入口を塞ぐことを回避するための代替方法
【００６４】
上で開示されたのは、入口からバスケットの内部に入る吸引物質の入来を妨げることを回避するためにバスケットリングの方向を決めるための方法である。バスケットリングは、バスケットリング１５８と短いリブ棚１４４および長いリブ棚１４８との間の相互作用を用いて方向が決められた。
【００６５】
ジャー３２０の中でバスケットリング３５８の方向を決める代替方法が、開示される。図１０は、バスケットリング３５８を見ることを可能にするために透明に記載されたジャー３２０の図を提示する。バスケット１５０は、リブ３４０を見ることを妨害するのを回避するために、バスケット底部１５６だけが見える状態で示されている。バスケットリング３５８は、１組のリブ棚３４４の上に載っている。１組のリブ３４０の最上部上のリブ棚３４４は、バスケットリング３５８の高さを決める。１組の１つまたは複数の方向決めタブ３８０は、１つまたは複数のハンドル３６２が、１組のリブ３４０に対して画定された位置にあるように、バスケットリング３５８の方向を決める。図１０に示すように１対のハンドル３６２があり、それらは、一方のハンドル３６２が、入口１２４の両側のリブ３４０の間に配置されていることを含む、多数の位置にあることができる。ハンドル開口３６４は、入口１２４からジャー３２０に入る物質の流れが、ハンドル開口３６４を通過し、ハンドル３６２が、妨害物とならないような大きさになっている。
【００６６】
当業者は、ハンドル開口３６４が、ハンドル開口３６４を通る流れに合った大きさである必要がないように、付加的な短いリブは、入口の近くにハンドル３６２を置く選択を防ぐために、ジャー３２０の側壁上に配置され得ることを理解されよう。
【００６７】
方向決めタブ３８０をハンドル３６２の下方に配置することは、１つの手法であるが、方向決めタブ３８０は、他の場所に配置されることもできる。方向決めタブの数とハンドルの数との間に１対１対応が存在する必要はない。
【００６８】
図１１および図１２は、一体の物体としてジャー３２０を示す。バスケットは、リブ３４０およびリブ棚３４４が可視的であることを可能にするために見えないようにされている。図１１と図１２との間の違いは、バスケットリング３５８が、図１２では見えなくなっていることである。
【００６９】
バスケット１５０の中に収集された物質が、ジャー３２０の中にある間、圧縮されることになる場合、ジャー３２０およびバスケット１５０は、プランジャおよびキャップ組立体２００と共に使用されてもよく、または、ジャー３２０の中に収集された物質を圧縮するためにプランジャを使用する意図がない場合、代替キャップ３０４と共に使用されてもよい。
【００７０】
図１０、図１１、および図１２によって紹介されたバスケットおよびリブの構想は、ジャー４２０およびバスケット４５４と共に使用されることができる。１組の図面は、引出線および要素番号が散乱することなくこれらの構成要素を示す。引出線および要素番号のない１組の図面は、ジャー４２０およびバスケット４５４と共に使用され得るプランジャおよびキャップ組立体４８０を示す。
【００７１】
図１３は、ジャー４２０の上面、左側、正面斜視図である。
【００７２】
図１４は、ジャー４２０の底面、右側、正面斜視図である。
【００７３】
図１５は、ジャー４２０の上面平面図である。
【００７４】
図１６は、ジャー４２０の正面図である。
【００７５】
図１７は、ジャー４２０の底面平面図である。
【００７６】
図１８は、ジャー４２０を左側面図である。
【００７７】
図１９は、ジャー４２０の右側面図である。
【００７８】
図２０は、ジャー４２０の上面および正面斜視図である。
【００７９】
図２１は、図４に示すように切り取られたジャー４２０の断面の上面、右側、後面斜視図である。
【００８０】
図２２は、バスケット４５４の上面、正面斜視図である。
【００８１】
図２３は、バスケット４５４の底面、右側斜視図である。
【００８２】
図２４は、バスケット４５４の上面平面図である。
【００８３】
図２５は、バスケット４５４の正面、左側斜視図である。
【００８４】
図２６は、バスケット４５４の底面平面図である。
【００８５】
図２７は、バスケット４５４の右側、正面斜視図である。
【００８６】
図２８は、図２４の断面の内部の上面斜視図である。
【００８７】
図２９は、プランジャおよびキャップ組立体４８０の上面斜視図である。
【００８８】
図３０は、プランジャおよびキャップ組立体４８０の底面斜視図である。
【００８９】
図３１は、プランジャおよびキャップ組立体４８０の側面図である。
【００９０】
図３２は、プランジャおよびキャップ組立体４８０の上面平面図である。
【００９１】
図３３は、プランジャおよびキャップ組立体４８０の底面平面図である。
【００９２】
図３４は、図３３の断面の側面図である。
【００９３】
図３５は、図３３の断面の上面、側面斜視図である。
【００９４】
図３６は、図３３の断面の上面、側面斜視図である。
【００９５】
キット
【００９６】
ジャー１２０と、プランジャおよびキャップ組立体２００とを備えた外科手術用収集組立体１００は、１個の吸引配管が入口ポートに固定された状態のキットで配給され得る。吸引配管を送給することで、収集された物質に、他の吸引配管によって作成および除去された可能性のある他の破片がないように、収集部位とジャー１２０の入口との間で汚れていない吸引配管を使用することが確実になる。このことは、骨などの、収集された物質が、特定の目的で使用されようとしているとき、重要であり得る。ジャー１２０と一緒に配管を提供することで、適切な可撓性の配管が、吸引配管の端部の操縦をより容易にすることを確実にするために提供されることが確実になる。最終的に、配管が入口に取り付けられたジャー１２０を配給することで、外科手術用収集組立体をセットすることに関する１つのエラー源が除去される。
【００９７】
キットは、２つ以上のバスケットを含有していてもよい。キットは、プランジャおよびキャップ組立体２００に加えて、代替キャップ３０４を含んでいてもよい。
【００９８】
非円形ジャー
【００９９】
本開示に提供された例は、円形断面を備えたジャーを有していたが、当業者は、別の断面を有するジャーが、使用され得ることを理解されることに留意されたい。例えば、断面は、楕円形または卵形であることができる。代替断面は、設計が、プランジャ組立体（または試料収集蓋）とジャーとの間で適切に機能する噛合いを有していれば、使用され得る。大概、これは、ジャーとのねじ噛合い以外の何かであろう。バスケット組立体は、適切な大きさである必要はあるが、ジャーの正確な断面形状を有する必要はない。
【０１００】
代替バスケット
【０１０１】
液体浸透性底部および液体浸透性側部を備えたバスケットの使用が教示されたが、当業者は、ある種の適用では、底部は、液体浸透性を有している場合がある一方で、側壁はそうではないことを認識されよう。これは、収集バスケットが、非常に大きい底面を有するとき、または収集プロセスが、濾過された物質が深くなるほど多くの濾過された物質を収集するように意図されていないとき、適切であり得る。そうしたバスケットは、細長い円筒よりも、むしろ相対的に平坦な受け皿のように考えられ得る。
【０１０２】
あるいは、バスケットは、液体に対する浸透性を有していない底部を有していて、流体が液体浸透性側壁から引き抜かれることに依存している可能性もある。そのようなバスケットでは、収集された物質の層が積み重なるとき、物質が、側壁の近くを通る流体が除去されて、部分的に乾燥されるように、バスケット底部は、小さい場合がある。そのようなバスケットは、相対的に平坦な受け皿より、むしろ、より細長い円筒のようである可能性がある。
【０１０３】
当業者は、上で説明された代替実施例のいくつかは、全般的には、相互排他的ではないこと、および場合によっては、上述した２つ以上の変型例の態様を使用している、追加的な実施例が、作り出され得ることを認識されよう。同様に、本開示は、本開示のさまざまな教示の理解を促進するために提供された具体的な例、または特有の実施形態に限定されない。そのうえ、この後の特許請求の範囲は、当業者に知られているように、本明細書に記載された構成要素に関する変型物、改変物、および代用物の範囲を包括するものである。
【図１】
2019529006.tif 000003
【図２】
2019529006.tif 000004
【図３】
2019529006.tif 000005
【図４】
2019529006.tif 000006
【図５】
2019529006.tif 000007
【図６】
2019529006.tif 000008
【図７】
2019529006.tif 000009
【図８】
2019529006.tif 000010
【図９】
2019529006.tif 000011
【図１０】
2019529006.tif 000012
【図１１】
2019529006.tif 000013
【図１２】
2019529006.tif 000014
【図１３】
2019529006.tif 000015
【図１４】
2019529006.tif 000016
【図１５】
2019529006.tif 000017
【図１６】
2019529006.tif 000018
【図１７】
2019529006.tif 000019
【図１８】
2019529006.tif 000020
【図１９】
2019529006.tif 000021
【図２０】
2019529006.tif 000022
【図２１】
2019529006.tif 000023
【図２２】
2019529006.tif 000024
【図２３】
2019529006.tif 000025
【図２４】
2019529006.tif 000026
【図２５】
2019529006.tif 000027
【図２６】
2019529006.tif 000028
【図２７】
2019529006.tif 000029
【図２８】
2019529006.tif 000030
【図２９】
2019529006.tif 000031
【図３０】
2019529006.tif 000032
【図３１】
2019529006.tif 000033
【図３２】
2019529006.tif 000034
【図３３】
2019529006.tif 000035
【図３４】
2019529006.tif 000036
【図３５】
2019529006.tif 000037
【図３６】
2019529006.tif 000038
【国際調査報告】
2019529006.tif 000039
2019529006.tif 000040
2019529006.tif 000041